(57)【特許請求の範囲】
【請求項１】
内部に収納スペースを有する引き出し本体と、この引き出し本体の前端側に設けられた保持部材と、この保持部材に着脱自在に保持された前部材とを備え、
前記保持部材は、引き出し本体の前部に設けられた取付面部を含み、
前記前部材には指掛部が形成されると共に前記前部材の裏面と取付面部との間に指掛け用の隙間が形成され、前記指掛部内に指先を通した後、前記前部材の裏面に指掛けを行うことが可能であり、
前記前部材は板状に形成され、当該前部材の表裏各面に異なる色彩が施されている一方、前記保持部材を介して前部材の外周領域を保持することで当該前部材の表裏各面を任意に表出可能としたことを特徴とする引き出し構造。
【請求項２】
内部に収納スペースを有する引き出し本体と、この引き出し本体の前端側に設けられた保持部材と、この保持部材に着脱自在に保持された前部材とを備え、
前記保持部材は、引き出し本体の前部に設けられた取付面部を含み、前記取付面部の上端に設けられた上面部と、取付面部の左右両端側に設けられた一対の側面部とを備えて前方及び下方を開放する形状に設けられ、上面部及び各側面部の前端面と前部材の表面とが略同一面上に位置し、
前記前部材には指掛部が形成されると共に前記前部材の裏面と取付面部との間に指掛け用の隙間が形成され、前記指掛部内に指先を通した後、前記前部材の裏面に指掛けを行うことが可能であり、
前記保持部材と前部材との間に位置決め手段が設けられ、この位置決め手段は、前記上面部及び各側面部の内周で一条に連なる溝状の受容部と、前部材の上端面及び左右両端面から外向きに僅かに突出して受容部内に収まるように形成されたリブと、受容部内に設けられるとともに、受容部の溝深さを部分的に深くするように形成された一対の凹み部と、リブの下部左右両側位置に形成されて外向きに突出するとともに、凹み部と係合可能に設けられた一対の突片とを備えていることを特徴とする引き出し構造。
【発明の詳細な説明】
【０００１】
【発明の属する技術分野】
本発明は、引き出し構造に係り、更に詳しくは、引き出しの前面側に位置する前部材の表出面を変更したり、或いは、容易に前部材を交換したりすることができる引き出し構造に関する。
【０００２】
【従来の技術】
一般に、キッチンは、上部にシンク等を有するカウンターと、このカウンターの下側に設けられるとともに、複数の収納スペースを有するキャビネットと、カウンターの面内及びこれの下方領域に位置するとともに、前面にダイヤル等の操作部を有するコンロとを備えて構成されている。このようなキッチンの中には、前記操作部の左右両側に引き出しを備えたものが存在する。この引き出しは、上部開放型の箱状をなす引き出し本体と、この引き出し本体の前端側に位置してキャビネットの前面板と略同一面上に位置する前板とを含んで構成されている。ここで、前板の色彩は、デザイン上コンロの操作部の色彩に合わせる場合が多いが、従来黒系統が多かったコンロ操作部も、最近では、高級感を付与するため、シルバー等の金属色のタイプが好まれるなど色彩のニーズも多様化しており、それに合わせ前板も金属色にしたり、或いは、引き出しの下に位置するキャビネットの色彩に併せたりと前板の色彩のニーズも多様化する傾向となってきている。
【０００３】
【発明が解決しようとする課題】
しかしながら、前板の色彩に関しては、多分にユーザの趣味感に依存するため多種多様であり、しかも、キッチンの流通形態としては、一部のサンプルやカタログ等を見て購入する場合が多く、これにより、施工時若しくは使用中に、キッチン全体の色調や雰囲気に応じて、前板の色彩を購入当初とは異なる色彩に変更を希望する傾向がある。
【０００４】
ところが、前述した公知の引き出しにあっては、前板が引き出し本体と一体化されており、前板を引き出し本体から取り外すことを意図して製造されたものではないため、前板の色彩を変更することは容易ではなく、前板の色彩を変更するためには、引き出し全体を交換しなければならないことになる。この場合、メーカー側では、前板の色彩が種々異なる引き出しを多種類用意しなければならず、在庫リスクを負う不都合を招来する。そこで、コスト的な負担を伴うことなく、キッチンの施工時若しくは施工完了後であっても、前板の色彩を容易に変更できる前板構造の出現が待望されていた。
【０００５】
【発明の目的】
本発明は、このような要請に対応して案出されたものであり、その目的は、引き出しの前部材の色彩を容易に変更可能とし、色彩に関するユーザの多様なニーズに容易に対応することができる引き出し構造を提供することにある。
【０００６】
【課題を解決するための手段】
前記目的を達成するため、本発明は、内部に収納スペースを有する引き出し本体と、この引き出し本体の前端側に設けられた保持部材と、この保持部材に着脱自在に保持された前部材とを備え、
前記保持部材は、引き出し本体の前部に設けられた取付面部を含み、
前記前部材には指掛部が形成されると共に前記前部材の裏面と取付面部との間に指掛け用の隙間が形成され、前記指掛部内に指先を通した後、前記前部材の裏面に指掛けを行うことが可能であり、
前記前部材は板状に形成され、当該前部材の表裏各面に異なる色彩が施されている一方、前記保持部材を介して前部材の外周領域を保持することで当該前部材の表裏各面を任意に表出可能とする、という構成を採っている。このような構成によれば、引き出し本体から前部材を取り外して当該前部材のみを容易に交換することができるので、別パーツとなる他の色彩が施された前部材だけを用意することにより、前部材の色彩の変更を簡単に行うことが可能となる。これにより、多種多様な複数のユーザの意向に十分に対応することができ、且つ、引き出し全体の交換を回避して経済的負担を軽減することも可能となる。また、引き出しの出し入れ操作をスムースに行うことが可能となる。しかも、例えば、前部材の表面を金属色とし、裏面をキャビネットと同色にすることにより、異なる二タイプの色彩から前面に表出する色彩を選択することができる。また、特別な工具等を用いることなく、前部材の着脱作業をスムースに行うことが可能となる。しかも、前部材の表出面を適宜変更することもできる。
【０００８】
また、本発明は、内部に収納スペースを有する引き出し本体と、この引き出し本体の前端側に設けられた保持部材と、この保持部材に着脱自在に保持された前部材とを備え、
前記保持部材は、引き出し本体の前部に設けられた取付面部を含み、前記取付面部の上端に設けられた上面部と、取付面部の左右両端側に設けられた一対の側面部とを備えて前方及び下方を開放する形状に設けられ、上面部及び各側面部の前端面と前部材の表面とが略同一面上に位置し、
前記前部材には指掛部が形成されると共に前記前部材の裏面と取付面部との間に指掛け用の隙間が形成され、前記指掛部内に指先を通した後、前記前部材の裏面に指掛けを行うことが可能であり、
前記保持部材と前部材との間に位置決め手段が設けられ、この位置決め手段は、前記上面部及び各側面部の内周で一条に連なる溝状の受容部と、前部材の上端面及び左右両端面から外向きに僅かに突出して受容部内に収まるように形成されたリブと、受容部内に設けられるとともに、受容部の溝深さを部分的に深くするように形成された一対の凹み部と、リブの下部左右両側位置に形成されて外向きに突出するとともに、凹み部と係合可能に設けられた一対の突片とを備える、という構成が採用されている。
【００１１】
なお、本明細書において、「前」、「後」、「左」、「右」等の位置若しくは方向を示す用語は、特に明示しない限り、図１中矢印Ａ方向からキッチンを見た状態を基準として用いる。
【００１２】
【実施例】
以下、本発明の実施例を図面を参照しながら説明する。
【００１３】
図１には、実施例に係る引き出し構造が適用されたキッチンの概略斜視図が示されている。この図において、キッチン１０は、上面にシンク１１を備えたカウンター１２と、このカウンター１２を所定の高さ位置に支持するキャビネット１３と、このキャビネット１３の面内でカウンター１２との間に配置されたコンロ１５とを備えて構成されている。
【００１４】
前記キャビネット１３は、コンロ１５の領域を支持するコンロ用キャビネット１７と、複数の収納区分を有する収納キャビネット１８等の複数のキャビネットにより構成されている。これらコンロ用及び収納キャビネット１７，１８等の前面側は、全体として統一した色彩を表出するようになっている。
【００１５】
前記コンロ１５は、本実施例では、ＩＨ式のコンロが用いられている。このコンロ１５は、コンロ用キャビネット１７の前面と略同一面上に位置するグリル２１と、このグリル２１の左右両側に設けられた操作部２３とを備え、この操作部２３の左右両側に隣接する位置に、一対の引き出し２５，２５が設けられている。
【００１６】
前記引き出し２５は、図２及び図３に示されるように、前後方向に延びるとともに、常時は、カウンター１２の下側に位置する引き出し本体２７と、この引き出し本体２７の前端側に設けられた保持部材２８と、この保持部材２８を介して着脱自在に保持される前部材２９と、保持部材２８と前部材２９との間に設けられた位置決め手段３０とを備えて構成されている。
【００１７】
前記引き出し本体２７は、前壁３１（図５参照）と、この前壁３１の左右両側から後方に延びる一対の側壁３２，３２と、各側壁３２，３２の後端間に位置する後壁３３と、前壁３１、側壁３２，３２及び後壁３３の下端間に位置する底壁３４と備え、内部に収納スペースＡを形成する上部開放型の箱状に構成されている。各側壁３２，３２の外面には、前後方向に延びる溝３５が設けられており、当該溝３５は、図示しないレール部材に対して前後にスライド移動可能に係合する。
【００１８】
前記保持部材２８は、図３及び図４にも示されるように、引き出し本体２７の前壁３１に接着やねじ止め等の手段を介して支持されるとともに、正面視縦長の長方形状に設けられた取付面部３７と、この取付面部３７の上端に設けられた上面部３８と、取付面部３７の左右両端側に設けられた一対の側面部３９，３９とを備え、前方及び下方を開放する形状に設けられている。
【００１９】
前記前部材２９は、前記上面部３８及び各側面部３９，３９の内周面に沿う長方形状を備えた板状体に形成されている。前部材２９の下端中央領域には、下向き凹状となる指掛部としての切欠部４０が設けられ、この切欠部４０は、指先を挿入可能な程度の大きさに設定されている。また、図５に示されるように、前部材２９の表面２９Ａ（図５中網点領域）及び裏面２９Ｂ（同図中黒塗り領域）には、異なる色彩がそれぞれ施されている。ここで、前部材２９の表裏各面２９Ａ，２９Ｂに色彩を施す手段としては、前部材２９に直接塗装を施したり、適宜な塗装、被膜処理、表面処理を施した金属や樹脂等を用いた板部材を貼り付ける手段が例示できる。これにより、表裏各面２９Ａ，２９Ｂの何れか一方をシルバー等の金属色とし、何れか他方を第１及び第２のキャビネット１７，１８の前面色と略同色としたり、適宜な中間色等にすることができる。また、表裏各面２９Ａ，２９Ｂに色違いのシート部材を接着してもよく、この場合、コンロ１５の操作説明等の表示を印刷することにより、高齢者等の取扱性を向上させることが可能となる。
【００２０】
前記位置決め手段３０は、図３ないし図５に示されるように、前記上面部３８及び各側面部３９，３９の内周における前端寄りの位置で一条に連なる溝状の受容部４２と、前部材２９の上端面及び左右両端面から外向きに僅かに突出して受容部４２内に略ぴったり収まるように形成されたリブ４３と、受容部４２内であって、各側面部３９，３９の下端より若干上方寄りの位置に設けられるとともに、受容部４２の溝深さを部分的に深くするように形成された一対の凹み部４５，４５と、リブ４３の下部左右両側位置に形成されるとともに、外向きに突出する一対の突片４６，４６とを備えて構成されている。
【００２１】
前記受容部４２の内周面及びリブ４３の外周面は、横断面視略半円弧状にそれぞれ形成されている。また、リブ４３が受容部４２内に受容された状態で、前部材２９の表面２９Ａが上面部３８及び各側面部３９，３９の前端面と略同一面上に位置し、前部材２９の裏面２９Ｂと保持部材２８の取付面部３７との間に指掛け用の隙間Ｓが形成される。これにより、切欠部４０内に指先を通した後、前部材２９の裏面２９Ｂに指掛けを行うことが可能となる。なお、リブ４３は、前部材２９の板厚方向略中央位置から突出しており、図６に示されるように、前部材２９の表裏各面２９Ａ，２９Ｂの向きを反対にして裏面２９Ｂを表出させる場合であっても、前部材２９の表出面位置が変化しないようになっている。
【００２２】
前記各突片４６，４６は、保持部材２８と前部材２９の下端が揃った状態で、凹み部４５，４５内に受容され、当該凹み部４５，４５と係合可能に設けられている。これにより、前部材２９は、図２に示される状態で意図的な外力を付与しない限り保持部材２８から脱落しないようになり、受容部４２及びリブ４３の作用と相俟って、前部材２９の上端及び左右両端側が保持部材２８を介して保持されることとなる。
【００２３】
以上の構成において、保持部材２８に前部材２９を取り付ける作業は、引き出し２５を収納位置から若干前方に引き出した後、図３及び図４に示されるように、保持部材２８の下側から前部材２９を挿入することにより行われる。この作業は、先ず、受容部４２の下側にリブ４３の上部左右両側を差し込み、前部材２９を鉛直方向に沿って持ち上げる。この際、前部材２９の左右両側位置でリブ４３が受容部４２に案内され、前部材２９が前後方向にぐらつくことなく上方に移動する。この上方移動により突片４６が側面部３９の下端に突き当たった後、強制的な外力を付与して前部材２９を持ち上げる。これにより、各突片４６，４６により各側面部３９，３９の下端側が僅かに拡開した後、凹み部４５内に突片４６が受容され、これらが相互に係合する。この状態で、図２に示されるように、保持部材２８と前部材２９の各下端が揃うとともに、リブ４３の上方領域が上面部３８に形成された受容部４２内に受容され、前部材２９が保持部材２８に脱落不能に保持される。
【００２４】
この一方、保持部材２８から前部材２９を取り外す作業は、前部材２９を強制的に引き下げることにより行われる。これにより、凹み部４５と突片４６との係合が解除されるとともに、受容部４２からリブ４３が抜け出し、前部材２９を保持部材２８から取り外すことができる。
【００２５】
なお、図２に示される状態から前部材２９の裏面２９Ｂを表出させる場合には、前述したように保持部材２８から前部材２９を取り外した後、裏面２９Ｂが前面に表出するように向け、保持部材２９に前部材２８を取り付ければよい。
【００２６】
従って、このような実施例によれば、前部材２９が保持部材２８に着脱自在に保持される構成としたから、表裏各面２９Ａ，２９Ｂに異なる色彩が施された前部材２９を用意することにより、前部材２９の色彩の変更を容易に行うことができ、また、前部材２９が汚れた場合には、前部材２９のみを交換したり引き出し本体２７と分離した状態で前部材２９を洗浄することが可能となる。また、保持部材２８と前部材２９との間に位置決め手段３０を設けたから、前部材２９の装着作業を一定に保ち、脱落の虞も回避可能となる。更に、保持部材２８と前部材２９に僅かな形状変更を施すことにより位置決め手段３０を構成したから、特別な部品を必要とすることなく、構成の簡略化を図ることが可能となる。
【００３２】
なお、前記実施例では、キッチン１０のコンロ１５の左右両側に位置する引き出し２５に本発明を適用した場合を説明したが、これに限られるものでなく、例えば、キャビネット１３の他の引き出しや公知の収納家具の引き出しにも本発明を同様に適用することができる。
【００３３】
また、前記位置決め手段３０は、図示構成例に限られるものでなく、種々の設計変更が可能である。例えば、受容部３７に代えてリブを設け、前部材２９の外周に前記リブを受容可能な溝を設けた構成としてもよい。
【００３４】
【発明の効果】
以上説明したように、本発明は、前部材を着脱自在に設けたから、他の色彩が施された前部材を別パーツとして用意することにより、前部材の色彩を容易に変更することができる。これにより、近時、多様化するユーザの意向に迅速且つスムースに対応することができ、且つ、前部材の色彩の変更に伴うコスト的な負担を軽くすることが可能となる。また、引き出しをコンロ操作部の左右両側に設けた場合には、キッチンの施工時又は使用中にあっても、前部材だけを交換することができ、当該前部材の色彩とキッチンの色調との調和を図ることが可能となる。
【００３５】
また、前部材を板体に形成し、当該前部材の表裏各面に異なる色彩を施した場合には、異なる二タイプの色彩から前面に表出する色彩を迅速且つ簡単に選択することができる。
【００３６】
更に、引き出し本体の前端側に保持部材を設け、この保持部材を介して前部材の外周領域を保持し、板状体の表裏各面を任意に表出可能としたから、前部材の着脱作業の容易化を図ることができるばかりでなく、前部材の外観上の体裁を良好に保つことが可能となる。
【００３７】
また、前部材に指掛部を形成した場合には、前部材に指先を掛け易くなり、引き出しの出し入れ操作をスムースに行うことができる。
【図面の簡単な説明】
【図１】  実施例に係る引き出し構造が適用されたキッチンの概略斜視図。
【図２】  前記引き出しの概略斜視図。
【図３】  図２の分解斜視図。
【図４】  図３の正面図。
【図５】  図２のＡ−Ａ線に沿う拡大断面図。
【図６】  前部材の向きを変更した図５と同様の断面図。
【符号の説明】
１０・・・キッチン、１５・・・コンロ、２３・・・操作部、２５・・・引き出し、２７・・・引き出し本体、２８・・・保持部材、２９・・・前部材、２９Ａ・・・表面、２９Ｂ・・・裏面、４０・・・切欠部（指掛部）、５０・・・保持部材、５１・・・前部材、Ａ・・・収納スペース、Ｓ・・・隙間
【図１】
0003653257.tif 000002
【図２】
0003653257.tif 000003
【図３】
0003653257.tif 000004
【図４】
0003653257.tif 000005
【図５】
0003653257.tif 000006
【図６】
0003653257.tif 000007